【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
風力発電電力の送り出しを調整し且つ安定化する方法であって、
複数の風車ステーションを有するウィンドファームを使用し、前記ウィンドファームは、即時使用のためのエネルギーを提供する専用の予め定められた数の複数の即時使用ステーション、後の使用のためのエネルギーを貯蔵する専用の複数のエネルギー貯蔵ステーション、並びに即時使用および／または貯蔵のためのエネルギーを提供する専用の複数の混成ステーションからなり；
前記ウィンドファームにおける、来るべき期間の風速状況の予報を予測するかまたは取得し；
前記来るべき期間の風速状況及び結果としての風力利用可能レベルを予測するために複数の前記予報を使用し；
前記複数の即時使用ステーション及び前記複数のエネルギー貯蔵ステーションの両方から送り出され、並びに必要なときには、前記複数の混成ステーションから送り出されるエネルギーを利用するために、前記来るべき期間における風速及び風力利用可能レベルについての複数の予測に基づいて、エネルギー送り出しスケジュールを用意し；
風速及び風力利用可能レベル内における揺らぎ及び振動にかかわらず、時間エネルギー送り出しレベルが実質的に一定のままであり得る間は、前記来るべき期間において複数の定電力出力期間の数を減少させることを設定する前記エネルギー送り出しスケジュールを使用することを特徴とする風力発電電力の送り出しを調整し且つ安定化する方法。
【請求項２】
風力発電電力の送り出しを調整し且つ安定化する方法であって、
少なくとも一つが直接発電のための発電装置を含み、少なくとも一つが圧縮空気をストレージに貯蔵するための圧縮機を含む複数の風車ステーションを使用し；
来るべき期間の風速状況の予報を予測するかまたは取得し；
前記来るべき期間の風速状況及び結果としての風力利用可能レベルを予測するために複数の前記予報を使用し；
複数の前記発電装置から出されるエネルギーと貯蔵圧縮空気エネルギーを利用するために、前記来るべき期間の風速及び風力利用可能レベルについての複数の予測に基づいて、エネルギー送り出しスケジュールを用意し；
風速及び風力利用可能レベル内における揺らぎ及び振動にかかわらず、時間エネルギー送り出しレベルが実質的に一定のままである間は、前記来るべき期間において複数の定電力出力期間の数を減少させることを設定する前記エネルギー送り出しスケジュールを使用することを特徴とする風力発電電力の送り出しを調整し且つ安定化する方法。
【請求項３】
風力発電電力の送り出しを調整し且つ安定化する方法であって、
複数の風車ステーションを有するウィンドファームを使用し、少なくとも一つの前記ウィンドファームが前記風によって発生したエネルギーを貯蔵するようになっており；
前記ウィンドファームにおける、来るべき期間の風速状況の予報を予測するかまたは取得し；
前記来るべき期間の風速状況及び結果としての風力利用可能レベルを予測するために複数の前記予報を使用し；
貯蔵されかつ後で使用できるエネルギー量を考慮して、前記来るべき期間における風速及び風力利用可能レベルについての複数の予測に基づいて、エネルギー送り出しスケジュールを用意し；
風速及び風力利用可能レベル内における揺らぎ及び振動にかかわらず、時間エネルギー送り出しレベルが実質的に一定である間は、前記来るべき期間において複数の定電力出力期間の数を減少させることを設定する前記エネルギー送り出しスケジュールを使用することを特徴とする風力発電電力の送り出しを調整し且つ安定化する方法。
【請求項４】
風力発電電力の送り出しを調整し且つ安定化する方法であって、
即時使用のためのエネルギーを提供する専用の少なくとも一つの即時使用ステーション及び後の使用のためのエネルギーを貯蔵する専用の少なくとも一つのエネルギー貯蔵ステーションを含む複数の風車ステーションを使用し；
来るべき期間の風速状況の予報を予測するかまたは取得し；
前記来るべき期間の風速状況及び結果としての風力利用可能レベルを予測するために複数の前記予報を使用し；
複数の前記即時使用ステーション及び複数の前記エネルギー貯蔵ステーションから提供されたエネルギーを利用するために、前記来るべき期間における風速及び風力利用可能レベルについての複数の予測に基づいて、エネルギー送り出しスケジュールを用意し；
風速及び風力利用可能レベル内における揺らぎ及び振動にかかわらず、時間エネルギー送り出しレベルが実質的に一定のままである間は、前記来るべき期間において複数の定電力出力期間の数を減少させることを設定する前記エネルギー送り出しスケジュールを使用することを特徴とする風力発電電力の送り出しを調整し且つ安定化する方法。
【請求項５】
風力発電電力の送り出しを調整し且つ安定化する方法であって、
即時使用のためのエネルギをーを発生させる能力及び後の使用のためエネルギーを貯蔵する能力を有するウィンドファームを使用し；
即時使用のための前記ウィンドファームからのエネルギー及び後の使用のための前記ウィンドファームからのエネルギーを利用するために、前記来るべき期間の風速及び風力利用可能レベルについての複数の予測に基づいて、エネルギー送り出しスケジュールを用意し；
風速及び風力利用可能レベル内における揺らぎ及び振動にかかわらず、時間エネルギー送り出しレベルが実質的に一定のままである間は、前記来るべき期間において複数の定電力出力期間の数を減少させることを設定する前記エネルギー送り出しスケジュールを使用することを特徴とする風力発電電力の送り出しを調整し且つ安定化する方法。
【請求項６】
即時使用および／または貯蔵のためのエネルギーを提供する専用の所定の数の混成ステーションが設けられ、
動作状態にあるべきステーションの数を補うために前記混成ステーションを使用し、
送電網に電気エネルギーを直接供給するように複数の即時使用ステーションが設けられており、圧縮空気エネルギーをストレージに提供するように複数のエネルギー貯蔵ステーションが設けられており、
前記電気エネルギーを直接供給する即時使用ステーションと、圧縮空気エネルギーをストレージに提供するエネルギー貯蔵ステーションとに切り替わるように、複数の前記混成ステーションが設けられている請求項２，３，４または５に記載の方法。
【請求項７】
前記風力発電電力の送り出しを調整し且つ安定化する方法が、
ａ）前記来るべき期間が次の２４時間の期間であること、
ｂ）いかなる所定の２４時間の期間中においても、７つを超えない定電力出力期間を設定すること、及び
ｃ）前記エネルギーが圧縮空気エネルギーとして貯蔵され、かつ、前記エネルギー送り出しスケジュールは、いかなる所定の時間においても貯蔵圧力量が６００ｐｓｉｇを上回らないか、または１００ｐｓｉｇより下にならないように、前記複数の予報に基づいて設定されているかまたは設定されるように設計されていること、
の少なくとも一つを含むことを特徴とする請求項１，２，３，４，５または６に記載の方法。
【請求項８】
即時使用のためのエネルギーを提供する専用の予め定められた数の複数の即時使用ステーション、及び後の使用のためのエネルギーを貯蔵する専用の複数のエネルギー貯蔵ステーションを設け、かつ、前記風力発電電力の送り出しを調整し且つ安定化する方法が、
１）前記来るべき期間中に動作状態にあるべき即時使用ステーション数とエネルギー貯蔵ステーション数との比を決定するステップ、
２）送電網に電気エネルギーを直接供給する前記複数の即時使用ステーションと、圧縮空気エネルギーをストレージに提供する前記複数のエネルギー貯蔵ステーションとを設けるステップ、
３）前記複数の即時使用ステーションから直接供給され得るエネルギー量と、前記複数のエネルギー貯蔵ステーションからストレージへ提供され得るエネルギー量とを考慮するステップ、
４）風力利用可能レベルが前記送電網で必要とされる電力需要を下回るときであっても、風力発電電力が複数の一定電力出力レベルで利用可能であることを確実にすることができる所定の貯蔵電力量を維持し得るように、前記送電網により使用され且つ引き出されることが予測される電力量を考慮するステップ、
５）前記来るべき期間の終わりにおける前記複数のエネルギー貯蔵ステーションからの前記貯蔵エネルギー量が、前記来るべき期間の始まりにおける前記貯蔵エネルギー量に等しいかそれよりも大きくなるように前記エネルギー送り出しスケジュールを設定するステップ、及び、
６）貯蔵に利用できる風力が貯蔵外の風力発電電力の需要に実質的に等しいとき、前記貯蔵に利用できる風力が前記貯蔵外の風力発電電力の需要よりも大きいとき、そして、前記貯蔵に利用できる風力が前記貯蔵外の風力発電電力の需要より少ないときを考慮するステップ、
の少なくとも一つのステップを含む請求項１，２，３，４，５，６または７に記載の方法。
【請求項９】
前記風力発電電力の送り出しを調整し且つ安定化する方法が、
１）動作状態にあるべきこれらのステーションの数を補うために前記複数の混成ステーションを使用するステップ、
２）前記電気エネルギーを直接供給する即時使用ステーションと、圧縮空気エネルギーをストレージに提供するエネルギー貯蔵ステーションとに切り替わるように、前記複数の混成ステーションを設けるステップ、
３）風力利用可能レベルが前記送電網で必要とされる電力需要を下回るときであっても、風力発電電力が複数の一定電力出力レベルで利用可能であることを確実にすることができる所定の貯蔵電力量を維持するために、前記複数の即時使用ステーションから直接供給され得るエネルギー量と、前記複数のエネルギー貯蔵ステーションからのストレージから提供され得るエネルギー量と、前記送電網により使用され且つ引き出されることが予測される電力量とを考慮ステップ、及び、
４）前記複数のエネルギー貯蔵ステーション及び前記来るべき期間の終わりにおいてエネルギー貯蔵モードに設定されているすべての混成ステーションからの貯蔵圧縮空気エネルギー量が、前記来るべき期間の始まりにおける貯蔵圧縮空気エネルギー量に等しいかそれよりも大きくなるように前記エネルギー送り出しスケジュールを設定するステップ、
の少なくとも一つのステップを含む請求項１または６に記載の方法。
【請求項１０】
前記風力発電電力の送り出しを調整し且つ安定化する方法が、
１）所定の貯蔵電力量を維持するために、即時に供給され得るエネルギー量と、ストレージから提供され得るエネルギー量と、前記送電網により使用され且つ引き出されることが予測される電力量とを考慮するステップ、
２）前記来るべき期間の終わりにおける前記貯蔵エネルギー量が、前記来るべき期間の始まりにおける前記貯蔵エネルギー量に等しいかそれよりも大きくなるように前記エネルギー送り出しスケジュールを設定するステップ、
３）貯蔵に利用できる風力が貯蔵外の風力発電電力の需要に実質的に等しいとき、前記貯蔵に利用できる風力が前記貯蔵外の風力発電電力の需要よりも大きいとき、そして、前記貯蔵に利用できる風力が前記貯蔵外の風力発電電力の需要より少ないときを考慮するステップ、
４）送電網に電気エネルギーを直接供給するように所定の数の前記即時使用ステーションを設け、かつ、エネルギーをストレージに提供するように所定の数の前記エネルギー貯蔵ステーションを設けるステップ、及び、
５）即時使用及び／または貯蔵のためのエネルギーを提供する専用の所定の数の混成ステーションが設け、前記電気エネルギーを直接供給する即時使用ステーションと、圧縮空気エネルギーをストレージに提供するエネルギー貯蔵ステーションとの間で切り替わるように、複数の前記混成ステーションを設けるステップ、
の少なくとも一つのステップを含む請求項１，２，３，４，５，６，７，８または９に記載の方法。
【手続補正２】
【補正対象書類名】明細書
【補正対象項目名】００３０
【補正方法】変更
【補正の内容】
【００３０】
この実施例において、ギヤボックスと発電装置は、電気エネルギーを発生するためにシャフトの機械的な回転力が発電機を直接駆動することができるように、風車のナセルに位置することが望ましい。ギヤボックスを介し発電装置を直接シャフトに置くことによって、機械的な力をより能率的に電力に変換することができる。電気エネルギーはそれから、他の伝送路または即時使用ステーションから送電網または他のユーザーまで電力を供給するケーブルに接続することができる送電線を介し塔の下に伝達することができる。